(57)【要約】【課題】  コンパクト化が図れ安定した動作が枚葉できるフィルムシート枚葉機構及びこれを備えた熱現像記録装置を提供する。【解決手段】  複数枚のフィルムシート１０を積載したトレイ２４から、フィルムシート１０を一枚ずつ取り出して搬送方向下流側へ供給するフィルムシート枚葉機構３００であって、トレイ２８内のフィルムシート１０を取り出すフィルム吸着手段を有する枚葉アーム３２０と、枚葉アーム３２０を支持しつつ枚葉アーム３２０をトレイ２８のフィルム取り出し位置と搬送方向下流側のフィルム供給位置との間で移動させるアーム移動手段３３０Ａ，３３０Ｂと、枚葉アーム３２０に設けられフィルム吸着手段を昇降動作させる昇降動倍増機構３４０Ａ，３４０Ｂとを備えた。【選択図】  図２
2006082955.tif 000002
【特許請求の範囲】
【請求項１】
複数枚のカットシート状のフィルムシートを積載したトレイから、最上層のフィルムシートを一枚ずつ取り出して該フィルムシートの搬送方向下流側へ供給するフィルムシート枚葉機構であって、
前記トレイ内の前記フィルムシートを取り出すフィルム吸着手段を有する枚葉アームと、
前記枚葉アームを支持しつつ該枚葉アームを前記トレイのフィルム取り出し位置と前記搬送方向下流側のフィルム供給位置との間で移動させるアーム移動手段と、
前記枚葉アームに設けられ前記フィルム吸着手段を昇降動作させる昇降動倍増機構と、を備えたことを特徴とするフィルムシート枚葉機構。
【請求項２】
前記アーム移動手段が、前記枚葉アームの移動経路に沿って形成されたガイド孔を有する側板を該枚葉アームの両端側に具備し、
前記昇降動倍増機構が、前記ガイド孔に挿入されるガイドピンを有し、該ガイドピンを前記ガイド孔に沿って移動させる動作に協働して前記フィルム吸着手段をリンク機構により昇降動作させることを特徴とする請求項１記載のフィルムシート枚葉機構。
【請求項３】
前記昇降動倍増機構が、前記ガイド孔による前記ガイドピンに移動に従動する２本の従動カムフォロア軸と、前記従動カムフォロア軸の移動により前記フィルム吸着手段を昇降動作させるリンク機構とを備え、
前記アーム移動手段が、前記２本の従動カムフォロア軸のカムフォロアをそれぞれ収容してガイドする２本のカム溝を前記側板に備え、
前記側板のカム溝が、前記枚葉アームが降下するにつれて該２本のカム溝の間隔の変化量が大きくされ、前記リンク機構により前記フィルム吸着手段の昇降動作量を増大させていることを特徴とする請求項２記載のフィルムシート枚葉機構。
【請求項４】
前記リンク機構の一部に、該昇降動作のストローク全体にわたり、セクタギア同士の螺合を介するようにしたことを特徴とする請求項３記載のフィルムシート枚葉機構。
【請求項５】
前記従動カムフォロア軸を所定の初期位置に維持させる引張バネを、前記ガイドピンの回りに巻きかけて設けたことを特徴とする請求項３又は請求項４記載のフィルムシート枚葉機構。
【請求項６】
前記リンク機構を構成するリンク構成部材が、支点及び作用点の近傍で該リンク構成部材に接続される相手側リンク構成部材との接触面を介して接続されていることを特徴とする請求項３〜請求項５のいずれか１項記載のフィルムシート枚葉機構。
【請求項７】
熱現像感光材料又は感光感熱記録材料からなる熱現像記録材料を露光して潜像を形成する露光部と、該潜像の形成された熱現像記録材料を加熱して熱現像を行う熱現像部とを少なくとも備えた熱現像記録装置であって、
前記露光部に前記熱現像記録材料を供給する機構が、請求項１〜請求項６のいずれか１項記載のフィルムシート枚葉機構からなることを特徴とする熱現像記録装置。
【発明の詳細な説明】
【技術分野】
【０００１】
本発明は、フィルムシートを取り出す際に用いるフィルムシート枚葉機構及びこれを備えた熱現像記録装置に関する。
【背景技術】
【０００２】
従来の熱現像記録装置の一例として、熱現像感光材料又は感光感熱記録材料からなる熱現像記録材料を露光して潜像を形成する露光部と、該潜像の形成された熱現像記録材料を加熱して熱現像を行う熱現像部とを備えた熱現像記録装置が知られている（例えば特許文献１参照）。
【特許文献１】特開２００４−１４８６６２号公報
【発明の開示】
【発明が解決しようとする課題】
【０００３】
ところが、上記特許文献１記載の熱現像記録装置では、図１５に示すように、トレイ５００内に積載されたフィルムシート５０２を一枚ずつ取り出すフィルムシート枚葉機構５０４が、フィルムシート５０２を幅方向に跨いでトレイ５００上方の両側部で支持される構成であるため、このフィルムシート枚葉機構５０４を支持する支持体がトレイ５００の上方に配置される。フィルムシート枚葉機構５０４には、フィルムシート５０２を吸着するための吸着部材５０６が配置されており、そのため、トレイ５００の側壁の高さを越えられるだけの十分な高さ方向のストロークＨと、フィルム搬送側までの長さストロークＬと、によって吸着部材５０６を備えたフィルムシート枚葉機構５０４を持ち上げて移動させる必要がある。このため、フィルムの装填部全体の高さ寸法が大きくなり、装置全体の高さ寸法が大きくなってしまう不利があった。一般的には、一台の装置で複数の装填部を有するために、高さ寸法の増大は顕著となる。
【０００４】
また、各トレイ５００において、フィルムシート５００のセット量を増やせるようにすると、それに応じてトレイ５００の側壁も高くなり、結果的に、吸着部材５０６の上下方向ストロークもさらに高くしなければならず、総ストロークが一層長くなり、上記同様に装填部のために大きなスペースが必要となり、装置全体の小型化の妨げとなっている。また、総ストロークが増大すると機構の動作が不安定になりやすく、動作速度も遅くなる。
【０００５】
本発明は、上述した事情に鑑みてなされたものであり、その目的は、コンパクト化が図れ安定した動作が枚葉できるフィルムシート枚葉機構及びこれを備えた熱現像記録装置を提供することにある。
【課題を解決するための手段】
【０００６】
本発明の上記目的は下記構成により達成される。
（１）  複数枚のカットシート状のフィルムシートを積載したトレイから、最上層のフィルムシートを一枚ずつ取り出して該フィルムシートの搬送方向下流側へ供給するフィルムシート枚葉機構であって、前記トレイ内の前記フィルムシートを取り出すフィルム吸着手段を有する枚葉アームと、前記枚葉アームを支持しつつ該枚葉アームを前記トレイのフィルム取り出し位置と前記搬送方向下流側のフィルム供給位置との間で移動させるアーム移動手段と、前記枚葉アームに設けられ前記フィルム吸着手段を昇降動作させる昇降動倍増機構と、を備えたことを特徴とするフィルムシート枚葉機構。
【０００７】
このように構成されたフィルムシート枚葉機構においては、枚葉アームがアーム移動手段によってトレイのフィルム取り出し位置と搬送方向下流側のフィルム供給位置との間で移動される際に、フィルム取り出し位置で、昇降動倍増機構によりフィルム吸着手段の昇降動作が増幅させられる。これにより、枚葉アームがフィルム取り出し位置にある状態で、フィルム吸着手段が上下動作を増幅して移動することにより、従来のものと比べて枚葉アームのストロークを短くできる。また、トレイの内側に昇降倍増機構を配置できるために、小型のユニット構成による薄型化を図って、コンパクトにすることができる。
【０００８】
（２）  前記アーム移動手段が、前記枚葉アームの移動経路に沿って形成されたガイド孔を有する側板を該枚葉アームの両端側に具備し、
前記昇降動倍増機構が、前記ガイド孔に挿入されるガイドピンを有し、該ガイドピンを前記ガイド孔に沿って移動させる動作に協働して前記フィルム吸着手段をリンク機構により昇降動作させることを特徴とする（１）記載のフィルムシート枚葉機構。
【０００９】
このように構成されたフィルムシート枚葉機構においては、ガイドピンがアーム移動手段のガイド孔に沿って移動されることにより、リンク機構により昇降動倍増機構がフィルム吸着手段を昇降動作させる。これにより、フィルム吸着手段を昇降動作させるために別途駆動源を設けることなく、簡単な構成で昇降動作が行える。
【００１０】
（３）  前記昇降動倍増機構が、前記ガイド孔による前記ガイドピンに移動に従動する２本の従動カムフォロア軸と、前記従動カムフォロア軸の移動により前記フィルム吸着手段を昇降動作させるリンク機構とを備え、前記アーム移動手段が、前記２本の従動カムフォロア軸のカムフォロアをそれぞれ収容してガイドする２本のカム溝を前記側板に備え、前記側板のカム溝が、前記枚葉アームが降下するにつれて該２本のカム溝の間隔の変化量が大きくされ、前記リンク機構により前記フィルム吸着手段の昇降動作量を増大させていることを特徴とする（２）記載のフィルムシート枚葉機構。
【００１１】
このように構成されたフィルムシート枚葉機構においては、ガイドピンがアーム移動手段のガイド孔に沿って移動されるときに、昇降動倍増機構の従動カムフォロア軸がアーム移動手段のカム溝内に収容され、枚葉アームが降下するにつれて、カム溝の間隔の変化量に応じて従動カムフォロア軸の間隔も変化して、リンク機構によりフィルム吸着手段の昇降動作量が増幅されて大きくなる。つまり、カム溝の間隔を広くしたり、或いは狭くしたりすることにより、従動カムフォロア軸の間隔を広くしたり、或いは狭くしたりでき、この間隔変化を利用してリンク機構によりフィルム吸着手段の昇降動作量を増加させることができる。
【００１２】
（４）  前記リンク機構の一部に、該昇降動作のストローク全体にわたり、セクタギア同士の螺合を介するようにしたことを特徴とする（３）記載のフィルムシート枚葉機構。
【００１３】
このように構成されたフィルムシート枚葉機構においては、リンク機構を介してフィルム吸着手段を昇降動作させるストローク中に、ガイドピンおよび従動カムフォロア軸がセクタギア同士の螺合を介しているために、ガイドピンおよび従動カムフォロア軸の回動にずれがなく、フィルム吸着手段を安定した姿勢で平行移動させることができる。
【００１４】
（５）  前記従動カムフォロア軸を所定の初期位置に維持させる引張バネを、前記ガイドピンの回りに巻きかけて設けたことを特徴とする（３）又は（４）記載のフィルムシート枚葉機構。
【００１５】
このように構成されたフィルムシート枚葉機構においては、ガイドピンが引張バネにより付勢されることにより、引張バネに蓄積される弾性反発力により従動カムフォロア軸が所定の初期位置に保持される。引張バネは、ガイドピンに巻きかけられているだけなので、外部に突出することなく、ガイドピンに対する保持力を均等に付与することができる。
【００１６】
（６）  前記リンク機構を構成するリンク構成部材が、支点及び作用点の近傍で該リンク構成部材に接続される相手側リンク構成部材との接触面を介して接続されていることを特徴とする（３）〜（５）のいずれか１項記載のフィルムシート枚葉機構。
【００１７】
このように構成されたフィルムシート枚葉機構においては、リンク構成部品のそれぞれが、他の構成部品に接触面を介して接続されているため、フィルム吸着手段が昇降動作を行う際に生ずる大きな曲げモーメントをこの接触面により分散して受けることにより、各部品の薄肉化を図って小型化に寄与することができる。
【００１８】
（７）  熱現像感光材料又は感光感熱記録材料からなる熱現像記録材料を露光して潜像を形成する露光部と、該潜像の形成された熱現像記録材料を加熱して熱現像を行う熱現像部とを少なくとも備えた熱現像記録装置であって、前記露光部に前記熱現像記録材料を供給する機構が、（１）〜（６）のいずれか１項記載のフィルムシート枚葉機構からなることを特徴とする熱現像記録装置。
【００１９】
このように構成された熱現像記録装置においては、フィルムシート枚葉機構がコンパクトとなり、小型化が図られる。また、露光部に向けてフィルムシートを供給する際に、フィルムシート枚葉機構の枚葉アームが、移動ストロークを短く、安定した枚葉動作を可能にしているため、高速で安定したフィルムシートの枚葉が行える。
【発明の効果】
【００２０】
本発明に係るフィルムシート枚葉機構によれば、フィルムシート枚葉機構の高さ寸法を低く抑え、ストロークを短くして安定動作が図られる。
また、本発明に係る熱現像記録装置によれば、上記フィルムシート枚葉機構を備えることで、熱現像記録装置全体の小型化が図られて、運転動作が安定する。
【発明を実施するための最良の形態】
【００２１】
以下、本発明に係るフィルムシート枚葉機構及びこれを備えた熱現像記録装置の好適な実施の形態について、図面を参照して詳細に説明する。
図１は本発明に係るフィルムシート枚葉機構及びこれを備えた熱現像記録装置の一実施形態を示す熱現像記録装置の全体構造図である。
【００２２】
まず、熱現像装置全体の構成から説明する。
図１に示すように、本発明の一実施形態であるフィルムシート枚葉機構３００が用いられる熱現像記録装置１００は、熱現像記録材料であるフィルムシート１０の搬送方向順に、熱現像記録材料供給部Ａと、画像露光部Ｂと、熱現像部Ｃと、冷却部Ｄとを備えている。また、各部間の要所に設けられフィルムシート１０を搬送するための搬送手段と、各部を駆動し制御する電源／制御部Ｅとを備えている。
【００２３】
上記熱現像記録装置１００は、最下段に電源／制御部Ｅ、その上段に熱現像記録材料供給部Ａ、さらにその上段に画像露光部Ｂと熱現像部Ｃと冷却部Ｄとを配置した構成となっており、画像露光部Ｂと熱現像部Ｃとを隣接させた配置としている。
【００２４】
フィルムシート１０としては、前述の熱現像感光材料又は感光感熱記録材料等を使用することができる。熱現像感光材料は、光ビーム（例えば、レーザビーム）によって画像を記録（露光）し、その後、熱現像して発色させる記録材料である。また、感光感熱記録材料は、光ビームによって画像を記録し、その後、熱現像して発色させるか、或いは、レーザビームのヒートモード（熱）によって画像を記録すると同時に発色させ、その後、光照射で定着する記録材料である。
【００２５】
熱現像記録材料供給部Ａは、フィルムシート１０を一枚ずつ取り出して、フィルムシート１０の搬送方向の下流に位置する画像露光部Ｂに供給する部分であり、三つの装填部１２，１４，１６と、各装填部１２，１４，１６にそれぞれ配置されるフィルムシート枚葉機構３００，３００，３００と、各フィルムシート枚葉機構３００に備えた上ローラ１８，１８，１８に対向配置されて対をなす下ローラ２０，２０，２０と、不図示の搬送ローラ及び搬送ガイドとを有して構成される。また、三段構成となっている各装填部１２，１４，１６の内部には、異なる、例えば、Ｂ４サイズ、及び半切サイズ等のフィルムシート１０，１０，１０が収容されたフィルム装填マガジン２２，２２，２２がマガジン受けであるトレイ２４，２６，２８内に収納され、各段に装填されたサイズや向きの、いずれかを選択的に使用できるようにしている。
【００２６】
フィルムシート１０は、カットシート状に加工され、通常、１５０枚等の所定単位の積層体（束）とされてフィルム装填マガジン２２，２２，２２内にそれぞれ配置され、熱現像記録材料供給部Ａの各段に装填される。
【００２７】
画像露光部Ｂは、熱現像記録材料供給部Ａから搬送されてきたフィルムシート１０に対して光ビームＬＢを主走査方向に走査露光し、また、主走査方向に略直交する副走査方向（即ち、搬送方向）に搬送することで、所望の画像をフィルムシート１０に記録して潜像を形成する。
【００２８】
熱現像部Ｃは、走査露光後のフィルムシート１０を搬送しながら昇温処理して、熱現像を行う。そして、冷却部Ｄにおいて現像処理後のフィルムシート１０を冷却して、排出トレイ３０に搬出する。
【００２９】
ここで、熱現像記録材料供給部Ａと画像露光部Ｂとの間の搬送路には幅寄せ機構３２，３４が設けられており、熱現像記録材料供給部Ａから搬入されてきたフィルムシート１０を、その幅方向端部を揃えた状態で画像露光部Ｂへ供給している。
【００３０】
次に、画像露光部Ｂについて具体的に説明する。
画像露光部Ｂは、光ビーム走査露光によってフィルムシート１０を露光する部位であり、熱現像材料の搬送面からのばたつきを防止しつつ搬送するばたつき防止機構を有した副走査搬送部（副走査手段）３６と、走査露光部（レーザ照射手段）３８とを備えている。走査露光部３８は、別途用意された画像データに従ってレーザの出力を制御しつつ、このレーザを走査（主走査）させる。このときフィルムシート１０を副走査搬送部３６によって副走査方向に移動させる。
【００３１】
副走査搬送部３６は、照射するレーザ光の主走査ラインを挟んで、軸線がこの走査ラインに対して略平行に配置された２本の駆動ローラ４０，４２と、これら駆動ローラ４０，４２に対向して配置され、フィルムシート１０を支持するガイド板４４と、を備えている。ガイド板４４は、各駆動ローラ４０，４２との間に挿入されるフィルムシート１０を、並設されたこれら駆動ローラ同士間の外側で該駆動ローラ周面の一部に沿って撓ませて、駆動ローラ同士間でフィルムシート１０の撓みによる弾性反発力を当接して受け止めるようにしている。
【００３２】
この撓みによりフィルムシート１０自身に弾性反発力が発生する。この弾性反発力により、フィルムシート１０と駆動ローラ４０，４２との間に所定の摩擦力が生じ、駆動ローラ４０，４２からフィルムシート１０へ確実に搬送駆動力が伝達されて、フィルムシート１０が搬送されるようになる。従って、フィルムシート１０の搬送面からのばたつき、即ち、上下方向のばたつきが確実に抑制される。この駆動ローラ同士間のフィルムシート１０に向けてレーザ光を照射することで、露光位置ずれのない良好な記録が行えることになる。なお、駆動ローラ４０，４２は、図示しないモータ等の駆動手段の駆動力を、歯車やベルト等の伝達手段を介して受け、図１中の時計回転方向へ回転するようになっている。
【００３３】
次に、熱現像部Ｃについて説明する。
熱現像部Ｃは、熱処理を適用されるタイプの被熱処理熱現像記録材料を加熱するものであり、構成としては、フィルムシート１０を処理するのに必要な温度となる加熱体としての熱現像記録材料の移送方向に並ぶ複数のプレートヒータ４６，４８，５０を湾曲させ、かつ、これらプレートヒータ４６，４８，５０を一連の円弧状配置としている。
【００３４】
即ち、これらプレートヒータ４６，４８，５０を含む熱現像部Ｃの構成としては、図示されるように、各プレートヒータに凹面を設け、フィルムシート１０をプレートヒータの凹面に対して接触させつつ滑らせて、相対的に移動させる。このときのフィルムシート１０の移送手段として、供給ローラ５２と、各プレートヒータからフィルムシート１０への伝熱用でもある複数の押さえローラ５４と、を配設している。
【００３５】
押さえローラ５４は、歯車５６に噛合して歯車５６の回転に従動して回転駆動される。これら押さえローラ５４としては、金属ローラ、樹脂ローラ、ゴムローラ等が利用できる。この構成により、搬送されるフィルムシート１０がプレートヒータ４６，４８，５０に押し付けられつつ搬送されるので、フィルムシート１０の座屈が防止される。なお、上記の湾曲プレートヒータは一例であり、この他、加熱手段としては平坦なプレートヒータや加熱ドラム等を用いる構成であってもよい。
【００３６】
熱現像部Ｃ内におけるフィルムシート１０の搬送路の終端には、フィルムシート１０を移送する排出ローラ５８が配設されている。そして、熱現像部Ｃから搬出されたフィルムシート１０は、冷却部Ｄによってシワが発生しないように、かつ湾曲ぐせが付かないように注意しながら冷却される。冷却部Ｄから排出されたフィルムシート１０は搬送路途中に設けられた冷却ローラ対６０によりガイドプレート６２内に案内され、さらに、排出ローラ対６３から排出トレイ３０に排出される。
【００３７】
このように冷却部Ｄ内には、複数の冷却ローラ対６０がフィルムシート１０の搬送経路に所望の一定曲率Ｒを与えるように配置されている。これは、フィルムシート１０がその材料のガラス転移点以下に冷却されるまで一定の曲率Ｒにより搬送されるということであり、このように意図的に熱現像記録材料に曲率を付けることで、ガラス転移点以下に冷却される前に余計なカールが付かなくなり、ガラス転移点以下となれば、新たなカールが付くこともなく、カール量がばらつかない。
【００３８】
また、冷却ローラ自体及び冷却部Ｄの内部雰囲気を温度調節している。このような温度調節は、熱処理装置の立ち上げ直後と十分にランニングを行った後との状態をなるべく同様なものにし、濃度変動を小さくすることができる。
【００３９】
続いて、本発明に係るフィルムシート枚葉機構３００について詳細に説明する。
図２はトレイ２４，２６，２８の側部に組み付けられたフィルムシート枚葉機構３００を示す外観斜視図である。なお、トレイ２４，２６，２８に組み付けられているフィルムシート枚葉機構３００，３００，３００は、いずれも同一構造であるために、ここでは、最上段のトレイ２４に対するフィルムシート枚葉機構３００について説明する。
【００４０】
図２に示すように、トレイ２４は、有底で上方が開放された箱形状に形成されており、両側面のトレイスライド機構（不図示）を介して装填部（図１参照）１２に水平方向に引き出し自在に装着されている。
【００４１】
フィルムシート枚葉機構３００は、トレイ２４の一側部の上方に配置されており、トレイ２４内に積載されているフィルムシート１０を取り出すフィルム吸着手段（詳細は図３に示す）３１０を有する枚葉アーム３２０と、枚葉アーム３２０を支持しつつ枚葉アーム３２０をトレイ２４のフィルム取り出し位置と搬送方向下流側のフィルム供給位置との間で移動させるアーム移動手段３３０Ａ，３３０Ｂと、枚葉アーム３２０に設けられフィルム吸着手段３１０を昇降動作させる昇降動倍増機構３４０Ａ，３４０Ｂとを有して構成される。
【００４２】
ここで、枚葉アーム３２０について説明する。
図３（ａ）は図２に示す枚葉アーム３２０をＡ方向から見た外観斜視図で、図２（ｂ）は（ａ）に示す枚葉アーム３２０を裏側から見た外観斜視図である。
【００４３】
図３（ａ）に示すように、枚葉アーム３２０は、ステー６４を有し、このステー６４にフィルム吸着手段３１０を組み付けている。フィルム吸着手段３１０は、ステー６４に固定されたモータ６６と、このモータ６６の駆動によって負圧を発生するポンプ６８と、ポンプ６８に連通接続されたチューブ７０を介して接続された一対の吸盤部材７２Ａ，７２Ｂと、からなる。そして、ステー６４の両端部に一対の昇降動倍増機構３４０Ａ，３４０Ｂが組み付けられている。
【００４４】
図３（ｂ）に示すように、ステー６４の中央部には、下方に向けて、上ローラ１８と、搬送用ローラ７４とが回転自在に配置されている。吸盤部材７２Ａ，７２Ｂは、ステー６４の長さ方向を長軸とする長円形状に形成されており、枚葉アーム３２０の移動方向に対しては、上ローラ１８の軸線位置と同じ線上位置に配置されている。
【００４５】
枚葉アーム３２０は、アーム移動手段（図２参照）３３０Ａ，３３０Ｂによってトレイ２４のフィルム取り出し位置の上方に配置されたところで、昇降動倍増機構３４０によりステー６４が下方に向けて増幅移動され、モータ６６の駆動によって吸盤部材７２Ａ，７２Ｂの内側に発生させた負圧を用いてフィルムシート１０を吸着して保持する。そして、アーム移動手段３３０Ａ，３３０Ｂによって搬送方向下流側のフィルム供給位置へ移動し、上ローラ１８の下側に保持されているフィルムシート１０を下ローラ（図１参照）２０との間に挟み込んで搬送方向下流側へ搬送する。
【００４６】
次に、アーム移動手段３４０Ａ，３４０Ｂについて説明する。
図４（ａ）は図２に示すアーム移動手段３３０をＢ方向から見たイニシャル位置での外観斜視図で、図４（ｂ）は図２に示すアーム移動手段３３０をＢ方向から見た吸着位置での外観斜視図で、図５は図４（ｂ）に示すアーム移動手段３３０ＡをＣ方向から見た側板の正面図で、図６は図４のＤ方向から見たアーム移動手段３３０Ａの外観斜視図で、図７は図４のＥ方向から見たアーム移動手段３３０Ｂの外観斜視図である。
【００４７】
図４（ａ），（ｂ）に示すように、アーム移動手段３３０Ａ，３３０Ｂは、トレイ２４の側部に立設された一対の側板７６Ａ，７６Ｂによって支持されており、一対の側板７６Ａ，７６Ｂの外側に配置された一対の歯車減速機構によって枚葉アーム３２０を移動させる。
【００４８】
図５に示すように、側板７６Ａ（７６Ｂも同様）の内側には、枚葉アーム３２０をフィルム供給位置とフィルム取り出し位置との間で移動させるために、昇降動倍増機構３４０Ａ（３４０Ｂ）に有する２本のガイドピン８０ａ，８０ｂをそれぞれ挿入して誘導するＬ字形状の孔である一対のガイド孔８２ａ，８２ｂと、昇降動倍増機構３４０Ａ（３４０Ｂ）に有する２本の従動カムフォロア軸（図８に示す）８４ａ，８４ｂを収容して誘導する一対のカム溝８６ａ，８６ｂと、を有する。ガイド孔８２ａ，８２ｂは、始端部のイニシャル位置から枚葉アーム３２０の移動軌跡に沿って、前半の水平部分と後半の垂直部分を有する。カム溝８６ａ，８６ｂは、昇降動倍増機構３４０Ａ，３４０Ｂの倍増ストローク量に応じて形状が変更され、ボルト８８によって側板７６Ａ，７６Ｂに着脱自在に組み付けられている。そして、この場合の形状は、下方に沈むに従ってカム溝８６ａとカム溝８６ｂとの間隔が狭くなるように設定されている。
【００４９】
図６に示すように、側板７６Ａの内側には、モータ９０が配置されている。歯車減速機構は、モータ９０のモータ軸９２に結合された第１プーリ９４と、この第１プーリ９４に接触して回転する第２プーリ９６と、この第２プーリ９６に接触して回転する第３プーリ９８と、この第３プーリ９８に同軸で結合された第１歯車１０１Ａと、第１歯車１０１Ａに螺合する第２歯車１０２Ａと、この第２歯車１０２Ａに螺合して同軸上に小径歯車１０４Ａを一体に有する大径歯車１０６Ａと、この大径歯車１０６Ａに有する小径歯車１０４Ａに螺合する第４，第５歯車１１０Ａ，１１２Ａとを有して構成されている。そして、第４，第５歯車１１０Ａ，１１２Ａには、外周部にリンクアーム１１４Ａ，１１６Ａの一端部が回転自在に連結されており、これらリンクアーム１１４Ａ，１１６Ａの他端部が、側板７６Ａの一対のガイド孔８２ａ，８２ｂを通じて昇降動倍増機構３４０Ａの２本のガイドピン８０ａ，８０ｂに回転自在に結合されている。図６においては、アーム移動手段３３０Ａは、フィルム取り出し位置に位置しているために、２本のガイドピン８０ａ，８０ｂを一対のガイド孔８２ａ，８２ｂの始端部（イニシャル位置）に配置している。
【００５０】
アーム移動手段３３０Ａは、モータ９０が駆動され、モータ軸９２が図６中反時計方向に回転すると、第４，第５歯車１１０Ａ，１１２Ａが時計方向にそれぞれ回転され、リンクアーム１１４Ａ，１１６Ａを介して２本のガイドピン８０ａ，８０ｂを一対のガイド孔８２ａ，８２ｂの始端部から先端部に向けて移動させる。これに反して、モータ軸９２が図６中時計方向に回転すると、第４，第５歯車１１０Ａ，１１２Ａが反時計方向にそれぞれ回転され、リンクアーム１１４Ａ，１１６Ａを介して２本のガイドピン８０ａ，８０ｂを一対のガイド孔８２ａ，８２ｂの先端部から始端部に向けて戻り移動させる。
【００５１】
なお、上記の歯車減速機構は、第１，第２，第３プーリ９４，９６，９８に代えて平歯車にしても良いが、枚葉アーム３２０を上下動させる際に生ずる衝撃や振動をモータ軸９２に直接与えないようにするために、第１，第２，第３プーリ９４，９６，９８をゴム等の弾性部材を用いて構成することが好ましい。
【００５２】
一方、上記歯車減速機構とは反対側の歯車減速機構は、図７に示すように、図６に示すものと略同様の構成であるが、図６に示す第３プーリ９８が、連結軸１１８を介して図７に示す歯車減速機構における第１歯車１０１Ｂに結合されて、単一のモータ９０の動力を一対の歯車減速機構に均一に供給している。
【００５３】
次に、昇降動倍増機構３４０Ａ，３４０Ｂについて説明する。
昇降動倍増機構３４０Ａ，３４０Ｂはいずれも同一構成であり、ここでは３４０Ａを例に説明する。
図８（ａ）は図３（ａ）に示す昇降動倍増機構であって、（ａ），（ｂ）は互いに異なる方向から見た昇降動倍増機構単体の外観斜視図、図９は昇降動倍増機構の分解斜視図、図１０（ａ）は昇降動倍増機構の復帰状態における正面図、図１０（ｂ）は昇降動倍増機構３４０の作動状態における正面図、図１１（ａ）は図１０（ａ）の背面図、図１１（ｂ）は図１０（ｂ）の背面図である。
【００５４】
図８（ａ），（ｂ）に示すように、昇降動倍増機構３４０Ａ（３４０Ｂ）は、固定側プレート１２０と、昇降側プレート１２２と、２本のガイドピン８０ａ，８０ｂと、２本の従動カムフォロア軸８４ａ，８４ｂと、引張バネ１２４と、リンク機構３５０と、から構成されている。
【００５５】
図９に示すように、リンク機構３５０は、内方端部に連結軸孔１２６を有し、外方端部に挿通孔１２８を有する一組のセクタギア１３０，１３０と、略中央部にガイドピン孔１３２を有し、外方端部に従動カムフォロア軸８４ａ，８４ｂを配置し、内方端部にセクタギア固定孔１３４を有する一対の従動アーム１３６，１３６と、内方端部にセクタギア連結用孔１３８を有し、外端部に昇降側プレート連結孔１４０を有する一対の昇降アーム１４２，１４２とを有して構成される。
【００５６】
固定側プレート１２０は、側方を折り曲げ加工された板部材であって、一方の面上に２本のガイドピン８０ａ，８０ｂが立設されており、中央部にハ字形状にして下方に行くに従って間隔が広くされた一対の第１支持孔１４４，１４４を有し、側方寄りに下方が開放されて縦方向に切り欠いた一対の第２支持孔１４６，１４６を有する。
【００５７】
昇降側プレート１２２は、Ｌ字形状に折り曲げられた板部材であって、水平板部１４８が枚葉アーム３２０のステー６４にねじ止めされ、垂直板部１５０の側方下側に一対のピン孔１５２を有する。
【００５８】
昇降動倍増機構３４０Ａは、固定側プレート１２０のガイドピン８０ａ，８０ｂが、セクタギア１３０の挿通孔１２８に挿通され、セクタギア１３０の外側で、従動アーム１３６のガイドピン孔１３２に挿通される。また、従動アーム１３６のセクタギア固定孔１３４に挿通されたリベット１５４が、セクタギア１３０の連結軸孔１２６と、固定側プレート１２０の第１支持孔１４４とを挿通し、さらに昇降アーム１４２のセクタギア連結用孔１３８を挿通して止め輪１５６が嵌め付けられる。そして、昇降側プレート１２２のピン孔１５２に固定された枢支軸１５８が、昇降アーム１４２の昇降側プレート連結孔１４０を挿通し、固定側プレート１２０の第２支持孔１４６を挿通してから、固定側プレート１２０のセクタギア１３０側でリング１６０を介して止め輪１６２に嵌め付けられる。
【００５９】
さらに、ガイドピン孔１３２を有して従動アーム１３６上に配置された一対の円筒部材１６４の外周部に引張バネ１２４が巻きかけられている。引張バネ１２４は、円筒部材１６４を介して両ガイドピン８０ａ，８０ｂを付勢するために、引張バネ１２４に蓄積される弾性力により両従動カムフォロア軸８４ａ，８４ｂが所定の初期位置に保持される。また、引張バネ１２４は、両ガイドピン８０ａ，８０ｂに巻きかけられているだけなので、外部に突出することなく、両ガイドピン８０ａ，８０ｂに対する保持力を均等に付与することができる。
【００６０】
昇降動倍増機構３４０Ａは、一対のセクタギア１３０，１３０と固定側プレート１２０との間、一対のセクタギア１３０，１３０と一対の従動アーム１３６，１３６との間、一対の昇降アーム１４２，１４２と固定側プレート１２０との間、及び昇降アーム１４２，１４２と固定側プレート１２０との間のそれぞれに、対面する互いの部材が接触し合う接触面１６６が形成されている。これは、フィルム吸着手段３１０が昇降動作を行う際に生ずる大きな曲げモーメントを、リンク機構３５０の構成部材同士で分散して受けられるようにするためである。
【００６１】
図１０（ａ），図１１（ａ）に示すように、昇降動倍増機構３４０Ａは、２本のガイドピン８０ａ，８０ｂが側板（図５参照）７６Ａの一対のガイド孔（図７参照）８２ａ，８２ｂの始端部から先端部に向け誘導されて移動する際、２本の従動カムフォロア軸８４ａ，８４ｂは、両者の間隔が広くなり、昇降側プレート１２２を最上位置に位置させる。
【００６２】
図１０（ｂ），図１１（ｂ）に示すように、昇降動倍増機構３４０Ａは、２本のガイドピン８０ａ，８０ｂが側板（図５参照）７６Ａの一対のガイド孔８２ａ，８２ｂの始端部から先端部に向けて移動を続けると、２本の従動カムフォロア軸８４ａ，８４ｂが、一対のカム溝８６ａ，８６ｂに誘導され始める。すると、両カム溝８６ａ，８６ｂの間隔が下方に行くに従って狭くなっているために、２本の従動カムフォロア軸８４ａ，８４ｂは両者の間隔が狭くなる。２本の従動カムフォロア軸８４ａ，８４ｂの間隔が狭くなると、両従動アーム１３６，１３６が両ガイドピン８０ａ，８０ｂに支持されながら回動され、両従動アーム１３６，１３６の回動に伴って両セクタギア１３０，１３０が回動される。両セクタギア１３０，１３０が回動されると、両セクタギア１３０の連結軸孔１２６に挿通されているリベット１５４が固定側プレート１２０の第１支持孔１４４に沿って下方に変位される。そして、両リベット１５４，１５４の下方への変位に伴い、両昇降アーム１４２，１４２の昇降側プレート連結孔１４０に挿通された枢支軸１５８が第２支持孔１４６内に支持されながら下方に変位して、両昇降アーム１４２，１４２が回動される。これにより、昇降側プレート１２２が最上位置から最下位置まで水平移動される。
【００６３】
昇降動倍増機構３４０Ａは、その後に、２本のガイドピン８０ａ，８０ｂが側板７６Ａの一対のガイド孔８２ａ，８２ｂの先端部から始端部へ向けて戻り移動されると、２本の従動カムフォロア軸８４ａ，８４ｂが、側板７６Ａの一対のカム溝８６ａ，８６ｂに誘導されなくなって、互いの間隔が広くなり、リンク機能３５０が上記とは反対に回動されるために、昇降側プレート１２２を最上位置に位置させる。このように、昇降側プレート１２２が最上位置から最下位置まで水平移動されることにより、フィルム吸着手段（図４参照）３１０をフィルム取り出し位置において下方へ増幅移動させてフィルムシート１０の吸着動作が行われる。このとき、リンク機構３５０を介してフィルム吸着手段３１０を昇降動作させるストローク中に、両ガイドピン８０ａ，８０ｂと両従動カムフォロア軸８４ａ，８４ｂとがセクタギア１３０同士の螺合を介しているために、両ガイドピン８０ａ，８０ｂおよび両従動カムフォロア軸８４ａ，８４ｂの回動にずれがなく、フィルム吸着手段３１０を安定した姿勢で平行移動させることができる。
【００６４】
また、昇降動倍増機構３４０Ａは、両ガイドピン８０ａ，８０ｂが一対のガイド孔８２ａ，８２ａに沿って移動されることにより、リンク機構３５０を介してフィルム吸着手段３１０を昇降動作させることができるので、フィルム吸着手段３１０を昇降動作させるのに駆動源を不要として、構造を簡単化することができる。また、両ガイドピン８０ａ，８０ｂが一対のガイド孔８２ａ，８２ｂに沿って移動されるときに、両従動カムフォロア軸８４ａ，８４ｂが一対のカム溝８６ａ，８６ｂに収容され、枚葉アーム３２０が降下するにつれて、カム溝８６ａ，８６ｂの間隔の変化量に応じて従動カムフォロア軸８４ａ，８４ｂの間隔が狭くなってフィルム吸着手段３１０の昇降動作量が増幅される。このように、一対のカム溝８６ａ，８６ｂの間隔を大きくしたり、或いは小さくしたりすることにより、両従動カムフォロア軸８４ａ，８４ｂの間隔を変化させることができ、これを利用してリンク機構３５０により、フィルム吸着手段３１０の昇降動作量を簡単に設定することができる。
【００６５】
以上説明したフィルムシート枚葉機構３００の構成による動作について説明する。
図１２はフィルムシート枚葉機構の動作説明図で、（ａ）はフィルム供給位置、（ｂ）はフィルム供給位置から動作を開始した位置、（ｃ）はフィルム取り出し位置に近づいた位置、（ｄ）はフィルム取り出し位置を示す概略図で、図１３は図１２（ａ）の位置におけるアーム移動手段の外観斜視図、図１４は図１２（ｄ）の位置におけるアーム移動手段の外観斜視図である。
【００６６】
図１２（ａ）に示すように、イニシャル位置であるフィルム供給位置では、枚葉アーム３２０がトレイ２４の一側部に位置しており、上ローラ１８が下ローラ２０と対峙して配置される。このとき、図１３に示すように、両ガイドピン８０ａ，８０ｂは、側板７６Ａ（７６Ｂも同様）の一対のガイド孔８２ａ，８２ｂの始端部に位置しているために、両従動カムフォロア軸８４ａ，８４ｂは間隔が広くなっており、枚葉アーム３２０の取り付けられる昇降側プレート１２２は最上位置となる。つまり、枚葉アーム３２０は最上位置に配置される。
【００６７】
そして、図１２（ｂ）に示すように、アーム移動手段３３０Ａ，３３０Ｂの駆動によって両枚葉アーム３２０を移動させると、ガイドピン８０ａ，８０ｂが両ガイド孔８２ａ，８２ｂの始端部から離れ（図５参照）、両ガイドピン８０ａ，８０ｂは、両ガイド孔８２ａ，８２ｂの水平部分を横方向に移動する。このとき、両従動カムフォロア軸８４ａ，８４ｂの間隔は広くなったままである。
【００６８】
次に、図１２（ｃ）に示すように、アーム移動手段３３０の駆動が続けられ、垂直方向の移動に移行すると、両ガイドピン８０ａ，８０ｂが両ガイド孔８２ａ，８２ｂの垂直部分へ移行して（図５参照）、枚葉アーム３２０が降下をし始める。このときも、両従動カムフォロア軸８４ａ，８４ｂは間隔が広くなったままである。
【００６９】
そして、図１２（ｄ）に示すように、アーム移動手段３３０の駆動により、アーム移動手段３３０が降下すると、両ガイドピン８０ａ，８０ｂが両ガイド孔８２ａ，８２ｂの垂直部分を降下した後、両従動カムフォロア軸８４ａ，８４ｂが両カム溝８６ａ，８６ｂに誘導されて間隔が狭くされる。このとき、図１４に示すように、両ガイドピン８０ａ，８０ｂは、側板７６Ａ（７６Ｂも同様）の一対のガイド孔８２ａ，８２ｂの先端部に位置し、両従動カムフォロア軸８４ａ，８４ｂは間隔が狭くされているため、枚葉アーム３２０の取り付けられる昇降側プレート１２２は最下位置となる。つまり、枚葉アーム３２０は最下への移動が増幅されて最下位置に配置される。
【００７０】
このように、フィルムシート枚葉機構３００は、トレイ２４の側部から横方向への移動量である水平方向のストローク量Ｌａと、トレイ２４の上方からの降下量である垂直方向のストローク量Ｈａで移動するため、枚葉アーム３２０がフィルム取り出し位置にある状態で、フィルム吸着手段３１０がガイドピン８０ａ，８０ｂの降下量を増幅した上下動作を行うことにより、短いストロークの枚葉アーム３２０を構成することができる。また、トレイ２４の内側に枚葉アーム３２０及び昇降動倍増機構３４０を配置できるために、アーム移動手段３３０Ａ，３３０Ｂによる移動ストロークを短く抑えつつ、枚葉アーム３２０の垂直移動を昇降動倍増機構３４０に担わせることで、小型のユニット構成による薄型化が図れ、装置全体をコンパクトにすることができる。そして、このようなフィルムシート枚葉機構３００を、画像露光部（図１参照）Ｂにフィルムシート１０を供給する機構に用いれば、熱現像記録装置１００をコンパクトにすることができる。
【００７１】
上述したように、本発明に係るフィルムシート枚葉装置３００によれば、枚葉アーム３２０がアーム移動手段３３０Ａ，３３０Ｂによりトレイ２４のフィルム取り出し位置と搬送方向下流側のフィルム供給位置との間で移動される際に、フィルム取り出し位置で、昇降動倍増機構３４０Ａ，３４０Ｂによりフィルム吸着手段３１０が増幅された昇降動作を行う。これにより、枚葉アーム３２０がフィルム取り出し位置にある状態で、フィルム吸着手段３１０が増幅された上下動作を行うことにより、従来のものと比べて枚葉アーム３２０の移動ストロークを短くできるとともに、トレイ２４の内側に配置できるために、小型のユニット構成とし、薄型化を図ってコンパクトにできる。
【００７２】
また、フィルムシート枚葉機構３００によれば、ガイドピン８０ａ，８０ｂがアーム移動手段３３０のガイド孔８２ａ，８２ｂに沿って移動することにより、リンク機構３５０によって昇降動倍増機構３４０Ａ，３４０Ｂがフィルム吸着手段３１０を昇降動作させている。これにより、フィルム吸着手段３１０を昇降動作させるのに駆動源を不要として、簡単な構造にすることができる。
【００７３】
また、フィルムシート枚葉機構３００によれば、リンク機構３５０を介してフィルム吸着手段３１０を昇降動作させる移動ストローク中に、ガイドピン８０ａ，８０ｂ及び従動カムフォロア軸８４ａ，８４ｂがセクタギア１３０，１３０同士の螺合を介しているために、ガイドピン８０ａ，８０ｂ及び従動カムフォロア軸８４ａ，８４ｂの回動にずれがなく、フィルム吸着手段３１０を安定した姿勢で平行移動させることができる。
【００７４】
なお、本発明のフィルムシート枚葉機構及びこれを備えた熱現像記録装置は、前述した各実施形態に限定されるものではなく、適宜、変形、改良等が可能である。
例えば、昇降動倍増機構の構成については、図示したものに限定されず、セクタギアと従動アームとを、例えば樹脂で一体成形したり、固定側プレートおよび昇降側プレートを樹脂で成形したりしても良い。そして、熱現像記録装置に限らず、他のシート状のフィルムを枚葉する機能を有する装置に対しても、好適に適用することが可能である。
【図面の簡単な説明】
【００７５】
【図１】本発明に係るフィルムシート枚葉機構及びこれを備えた熱現像記録装置の一実施形態を示す熱現像記録装置の全体構造図である。
【図２】トレイに組み付けられたフィルムシート枚葉機構を示す外観斜視図である。
【図３】（ａ）は図２に示した枚葉アームをＡ方向から見た外観斜視図、（ｂ）は（ａ）に示した枚葉アームを裏側から見た外観斜視図である。
【図４】（ａ）は図２に示したアーム移動手段をＢ方向から見たイニシャル位置での外観斜視図、（ｂ）は図２に示したアーム移動手段をＢ方向から見た吸着位置での外観斜視図である。
【図５】図４（ｂ）に示したアーム移動手段をＣ方向から見た側板の正面図である。
【図６】図４のＤ方向から見たアーム移動手段の外観斜視図である。
【図７】図４のＥ方向から見たアーム移動手段の外観斜視図である。
【図８】（ａ）は図３（ａ）に示す昇降動倍増機構であって、（ａ），（ｂ）は互いに異なる方向から見た昇降動倍増機構単体の外観斜視図である。
【図９】昇降動倍増機構の分解斜視図である。
【図１０】（ａ）は昇降動倍増機構の復帰状態における正面図、（ｂ）は昇降動倍増機構の作動状態における正面図である。
【図１１】（ａ）は図１０（ａ）の背面図、（ｂ）は図１０（ｂ）の背面図である。
【図１２】フィルムシート枚葉機構の動作説明図で、（ａ）はフィルム供給位置、（ｂ）はフィルム供給位置から動作を開始した位置、（ｃ）はフィルム取り出し位置に近づいた位置、（ｄ）はフィルム取り出し位置を示す概略図である。
【図１３】図１２（ａ）の位置におけるアーム移動手段の外観斜視図である。
【図１４】図１２（ｄ）の位置におけるアーム移動手段の外観斜視図である。
【図１５】従来のフィルムシート枚葉機構の概略図である。
【符号の説明】
【００７６】
１０  フィルムシート（熱現像記録材料）
２４，２６，２８  トレイ
７６Ａ，７６Ｂ  側板
８０ａ，８０Ｂ  ガイドピン
８２ａ，８２ｂ  ガイド孔
８４ａ，８４ｂ  従動カムフォロア軸
８６ａ，８６ｂ  カム溝
１００  熱現像記録装置
１２４  引張バネ
１３０  セクタギア
１６６  接触面
３００  フィルムシート枚葉機構
３１０  フィルム吸着手段
３２０  枚葉アーム
３３０Ａ，３３０Ｂ  アーム移動手段
３４０Ａ，３４０Ｂ  昇降動倍増機構
３５０  リンク機構
Ｂ    露光部（画像露光部）
Ｃ    熱現像部
【図１】
2006082955.tif 000003
【図２】
2006082955.tif 000004
【図３】
2006082955.tif 000005
【図４】
2006082955.tif 000006
【図５】
2006082955.tif 000007
【図６】
2006082955.tif 000008
【図７】
2006082955.tif 000009
【図８】
2006082955.tif 000010
【図９】
2006082955.tif 000011
【図１０】
2006082955.tif 000012
【図１１】
2006082955.tif 000013
【図１２】
2006082955.tif 000014
【図１３】
2006082955.tif 000015
【図１４】
2006082955.tif 000016
【図１５】
2006082955.tif 000017